(57)【要約】【課題】簡単な構成によって蓋体が容器本体から外れない加熱調理容器を提供する。【解決手段】鍋１は、上端開口周縁部に円環状外向き水平フランジ部４を有する容器本体２と、外向き水平フランジ部４に載る外周縁部７を有する蓋体３との組合せからなる。外周縁部７に複数の下向き係止爪部８を設けると共に、外向き水平フランジ部４に、下向き係止爪部８の通過を許容し外周縁部７の外向き水平フランジ部４への着座を可能にする複数の切欠部５を設け、外周縁部７が外向き水平フランジ部４に着座した状態から蓋体３が回動されると、下向き係止爪部８と外向き水平フランジ部４とが係合状態となり、蓋体３を容器本体２から離脱不能にする。【選択図】図１
0003128424.tif 000002
【実用新案登録請求の範囲】
【請求項１】
上端開口周縁部に蓋受け座部を有する容器本体と、前記蓋受け座部に載る外周縁部を有する蓋体との組合せからなる加熱調理容器において、
前記外周縁部に複数の下向き係止爪部を設けると共に、前記蓋受け座部に、前記下向き係止爪部の通過を許容し前記外周縁部の前記蓋受け座部への着座を可能にする複数の切欠部を設け、前記外周縁部が前記蓋受け座部に着座した状態から前記蓋体が回動されると、前記下向き係止爪部と前記蓋受け座部とが係合状態となり、前記蓋体を前記容器本体から離脱不能にすることを特徴とする加熱調理容器。
【請求項２】
前記蓋受け座部は円環状外向き水平フランジ部により構成され、かつ、前記下向き係止爪部は、前記外向き水平フランジ部の下方に配置可能な内向き突出部を有することを特徴とする請求項１に記載の加熱調理容器。
【請求項３】
前記外向き水平フランジ部は前記切欠部から離れた位置に装着位置決め用ストッパー部を備え、前記外周縁部が前記外向き水平フランジ部に着座開始した状態から前記蓋体が所定角度回動されたとき、前記下向き係止爪部が前記装着位置決め用ストッパー部に当接し、前記蓋体の更なる回動が規制されることを特徴とする請求項２に記載の加熱調理容器。
【請求項４】
前記外向き水平フランジ部は前記切欠部の近傍に離脱位置決め用ストッパー部を備え、前記下向き係止爪部と前記外向き水平フランジ部との係合状態を解除する方向へ前記蓋体を回動したとき、前記下向き係止爪部が前記離脱位置決め用ストッパー部に当接し、前記蓋体の更なる回動が規制されることを特徴とする請求項２に記載の加熱調理容器。
【請求項５】
前記外向き水平フランジ部は肉厚徐変部を備え、該肉厚徐変部は、前記切欠部から離れるにしたがって当該外向き水平フランジ部の肉厚を徐々に増大させるよう構成され、前記外周縁部が前記蓋受け座部に着座開始した状態から前記蓋体が所定角度回動されたとき、前記下向き係止爪部が前記肉厚徐変部に接触し、前記蓋体の更なる回動が規制されることを特徴とする請求項２に記載の加熱調理容器。
【請求項６】
上端開口周縁部に蓋受け座部を有する容器本体と、前記蓋受け座部に載る外周縁部を有する蓋体との組合せからなる加熱調理容器において、
前記蓋受け座部に複数の内向き係止爪部を設けると共に、前記外周縁部に、前記内向き係止爪部の通過を許容し前記外周縁部の前記蓋受け座部への着座を可能にする複数の切欠部を設け、前記外周縁部が前記蓋受け座部に着座した状態から前記蓋体が回動されると、前記内向き係止爪部と前記外周縁部とが係合状態となり、前記蓋体を前記容器本体から離脱不能にすることを特徴とする加熱調理容器。
【請求項７】
前記蓋受け座部は、円環状外向き水平フランジ部と該外向き水平フランジ部の外周端から延びた上向き垂直フランジ部とにより構成され、かつ、前記内向き係止爪部は、前記外周縁部の上方に配置可能に前記上向き垂直フランジ部の内周面に設けられることを特徴とする請求項６に記載の加熱調理容器。
【請求項８】
前記外周縁部は前記切欠部から離れた位置に装着位置決め用ストッパー部を備え、前記外周縁部が前記外向き水平フランジ部に着座開始した状態から前記蓋体が所定角度回動されたとき、前記装着位置決め用ストッパー部が前記内向き係止爪部に当接し、前記蓋体の更なる回動が規制されることを特徴とする請求項７に記載の加熱調理容器。
【請求項９】
前記外周縁部は前記切欠部の近傍に離脱位置決め用ストッパー部を備え、前記内向き係止爪部と前記外周縁部との係合状態を解除する方向へ前記蓋体を回動したとき、前記離脱位置決め用ストッパー部が前記内向き係止爪部に当接し、前記蓋体の更なる回動が規制されることを特徴とする請求項７に記載の加熱調理容器。
【請求項１０】
前記外周縁部は肉厚徐変部を備え、該肉厚徐変部は、前記切欠部から離れるにしたがって当該外周縁部の肉厚を徐々に増大させるよう構成され、前記外周縁部が前記外向き水平フランジ部に着座開始した状態から前記蓋体が所定角度回動されたとき、前記肉厚徐変部が前記内向き係止爪部に圧接し、前記蓋体の更なる回動が規制されることを特徴とする請求項７に記載の加熱調理容器。
【考案の詳細な説明】
【技術分野】
【０００１】
本考案は、台所用具である鍋、やかん等加熱調理容器に関する。
【背景技術】
【０００２】
周知のように、鍋、やかんなど加熱調理容器は、飲食物が入る容器本体と、この容器本体の上端開口部を塞ぐ蓋体とから構成されており、通常、容器本体に対して蓋体を容易に装着できると共に容器本体から蓋体を容易に離脱できるよう構成されている。
【考案の開示】
【考案が解決しようとする課題】
【０００３】
しかし、上記のように容器本体に対し蓋体を容易に装着及び離脱できることから、鍋、やかんを運ぶときには、蓋体が容器本体から外れないよう慎重に運ばなければならず、蓋体が容器本体から外れた場合には、容器本体の内容物である熱湯や煮物などがこぼれ火傷のおそれが生じる。
【０００４】
本考案は、上記のような問題点に着目してなされたものであり、簡単な構成によって蓋体が容器本体から外れない加熱調理容器を提供することを目的とする。
【課題を解決するための手段】
【０００５】
本考案の加熱調理容器は、上端開口周縁部に蓋受け座部を有する容器本体と、前記蓋受け座部に載る外周縁部を有する蓋体との組合せからなる加熱調理容器において、前記外周縁部に複数の下向き係止爪部を設けると共に、前記蓋受け座部に、前記下向き係止爪部の通過を許容し前記外周縁部の前記蓋受け座部への着座を可能にする複数の切欠部を設け、前記外周縁部が前記蓋受け座部に着座した状態から前記蓋体が回動されると、前記下向き係止爪部と前記蓋受け座部とが係合状態となり、前記蓋体を前記容器本体から離脱不能にすることを特徴とする。
【０００６】
本考案によると、蓋体の外周縁部に複数の下向き係止爪部を設けると共に容器本体に複数の切欠部を設けるだけの簡単な構成によって蓋体の容器本体からの離脱を防止できるようになる。
【０００７】
ここで、前記蓋受け座部は円環状外向き水平フランジ部により構成され、かつ、前記下向き係止爪部は、前記外向き水平フランジ部の下方に配置可能な内向き突出部を有する。
【０００８】
また、前記外向き水平フランジ部は前記切欠部から離れた位置に装着位置決め用ストッパー部を備え、前記外向き水平フランジ部が前記蓋受け座部に着座開始した状態から前記蓋体が所定角度回動されたとき、前記下向き係止爪部が前記装着位置決め用ストッパー部に当接し、前記蓋体の更なる回動が規制される。この装着位置決め用ストッパー部により、使用者は、容器本体に対する蓋体の装着位置を容易に認識することができる。
【０００９】
また、前記外向き水平フランジ部は前記切欠部の近傍に離脱位置決め用ストッパー部を備え、前記下向き係止爪部と前記外向き水平フランジ部との係合状態を解除する方向へ前記蓋体を回動したとき、前記下向き係止爪部が前記離脱位置決め用ストッパー部に当接し、前記蓋体の更なる回動が規制される。この離脱位置決め用ストッパー部により、使用者は、容器本体から蓋体を離脱できる位置を容易に認識することができる。
【００１０】
また、前記外向き水平フランジ部は肉厚徐変部を備え、該肉厚徐変部は、前記切欠部から離れるにしたがって当該外向き水平フランジ部の肉厚を徐々に増大させるよう構成され、前記外周縁部が前記蓋受け座部に着座開始した状態から前記蓋体が所定角度回動されたとき、前記下向き係止爪部が前記肉厚徐変部に接触し、前記蓋体の更なる回動が規制される。この肉厚徐変部により、使用者は、容器本体に蓋体を装着する位置を容易に認識することができると共に、容器本体に蓋体を強固に装着することができる。
【００１１】
また、本考案の他の加熱調理容器は、上端開口周縁部に蓋受け座部を有する容器本体と、前記蓋受け座部に載る外周縁部を有する蓋体との組合せからなる加熱調理容器において、前記蓋受け座部に複数の内向き係止爪部を設けると共に、前記外周縁部に、前記内向き係止爪部の通過を許容し前記外周縁部の前記蓋受け座部への着座を可能にする複数の切欠部を設け、前記外周縁部が前記蓋受け座部に着座した状態から前記蓋体が回動されると、前記内向き係止爪部と前記外周縁部とが係合状態となり、前記蓋体を前記容器本体から離脱不能にすることを特徴とする。
【００１２】
本考案によると、容器本体に複数の内向き係止爪部を設けると共に蓋体に複数の切欠部を設けるだけの簡単な構成によって蓋体の容器本体からの離脱を防止できるようになる。
【００１３】
ここで、前記蓋受け座部は、円環状外向き水平フランジ部と該外向き水平フランジ部の外周端から延びた上向き垂直フランジ部とにより構成され、かつ、前記内向き係止爪部は、前記外周縁部の上方に配置可能に前記上向き垂直フランジ部の内周面に設けられる。
【００１４】
また、前記外周縁部は前記切欠部から離れた位置に装着位置決め用ストッパー部を備え、前記外周縁部が前記外向き水平フランジ部に着座開始した状態から前記蓋体が所定角度回動されたとき、前記装着位置決め用ストッパー部が前記内向き係止爪部に当接し、前記蓋体の更なる回動が規制される。この装着位置決め用ストッパー部により、使用者は、容器本体に対する蓋体の装着位置を容易に認識することができる。
【００１５】
また、前記外周縁部は前記切欠部の近傍に離脱位置決め用ストッパー部を備え、前記内向き係止爪部と前記外周縁部との係合状態を解除する方向へ前記蓋体を回動したとき、前記離脱位置決め用ストッパー部が前記内向き係止爪部に当接し、前記蓋体の更なる回動が規制される。この離脱位置決め用ストッパー部により、使用者は、容器本体から蓋体を離脱できる位置を容易に認識することができる。
【００１６】
また、前記外周縁部は肉厚徐変部を備え、該肉厚徐変部は、前記切欠部から離れるにしたがって当該外周縁部の肉厚を徐々に増大させるよう構成され、前記外周縁部が前記外向き水平フランジ部に着座開始した状態から前記蓋体が所定角度回動されたとき、前記肉厚徐変部が前記内向き係止爪部に圧接し、前記蓋体の更なる回動が規制される。この肉厚徐変部により、使用者は、容器本体に蓋体を装着する位置を容易に認識することができると共に、容器本体に蓋体を強固に装着することができる。
【考案を実施するための最良の形態】
【００１７】
以下、本考案の実施形態を図面に基づいて説明する。
【００１８】
図１は、本考案の第１実施形態に係る鍋の容器本体から蓋体を離脱させた状態を表す斜視図、図２は、同鍋の使用態様図、図３は、同鍋の動作説明図、図４は、本考案の第２実施形態に係るやかんの容器本体から蓋体を離脱させた状態を表す斜視図、図５は、同やかんの使用態様図、図６は、本考案の第３実施形態に係る鍋の容器本体から蓋体を離脱させた状態を表す斜視図、図７は、同鍋の使用態様図、図８は、同鍋の動作説明図をそれぞれ示す。
【００１９】
図１〜図３において、第１実施形態に係る鍋（加熱調理容器）１は、煮物などが入る容器本体２と、容器本体２の上端開口部を塞ぐ蓋体３との組合せからなる。
【００２０】
容器本体２は、上端開口周縁部に蓋受け座部４を有する。蓋受け座部４は、円環状外向き水平フランジ部により構成される。外向き水平フランジ部４には、適宜箇所に複数の切欠部５が設けられている。また、外向き水平フランジ部４の裏面側において切欠部５から離れた位置に、装着位置決め用ストッパー部６が設けられている。
【００２１】
蓋体３は、外向き水平フランジ部４の上面に載る外周縁部７を有する。外周縁部７には、容器本体２の各切欠部５と対向する位置に、下向き係止爪部８が設けられている。下向き係止爪部８は、略L字状の断面形状を有しており、垂直板部８aと、この垂直板部８aの下端から内向きに略水平に延びた内向き突出部８bとを備える。下向き係止爪部８の幅寸法、つまり、蓋体３の円周方向と一致する方向の寸法は、切欠部５の幅寸法、つまり、容器本体２の円周方向と一致する方向の寸法よりも小さく設定されている。
【００２２】
次に、上記のように構成される鍋１の使用方法を説明する。
【００２３】
容器本体２に蓋体３を装着するに当っては、容器本体２の各切欠部５に対して蓋体３の下向き係止爪部８を位置合せした状態（図１図示の状態、及び、図３（A）図示の状態に対応する。）で容器本体２に向けて蓋体３を降ろす。この下降操作時、蓋体３の下向き係止爪部８の幅寸法が容器本体２の切欠部５の幅寸法よりも小さいため、各下向き係止爪部８は、対応する切欠部５を通過することができ、容器本体２の外向き水平フランジ部４の上面に蓋体３の外周縁部７が載るようになる（図２（A）図示の状態、及び、図３（B）図示の状態に対応する。）。次に、蓋体３を図２（A）図示矢印a方向に所定角度だけ回動する。この回動操作時、図３（C）に示すように、蓋体３の外周縁部７と下向き係止爪部８とで形成される凹部に、容器本体２の外向き水平フランジ部４が収容可能なため、蓋体３を円滑に矢印a方向へ回動させることができる。そして、蓋体３の下向き係止爪部８が容器本体２の装着位置決め用ストッパー部６に当接するようになったとき（図２（B）図示の状態、及び、図３（C）図示の状態に対応する。）、蓋体３の回動操作を止める。以上の操作により、蓋体３を容器本体２に装着することができる。蓋体３が容器本体２に装着されている状態では、図３（C）に示すように、蓋体３の外周縁部７と下向き係止爪部８とで形成される凹部に、容器本体２の外向き水平フランジ部４が収容されており、下向き係止爪部８と外向き水平フランジ部４とが係合状態にあるため、蓋体３が容器本体２から外れようとしても、下向き係止爪部８の内向き突出部８bが容器本体２の外向き水平フランジ部４によって移動が規制され、蓋体３は容器本体２から離脱できない。
【００２４】
一方、容器本体２から蓋体３を離脱させる操作は、上述したような容器本体２に蓋体３を装着する操作とは逆の操作を行うことによって、容器本体２から蓋体３を離脱することができる。
【００２５】
以上説明したように、第１実施形態に係る鍋１は、上端開口周縁部に円環状外向き水平フランジ部４を有する容器本体２と、外向き水平フランジ部４に載る外周縁部７を有する蓋体３との組合せからなり、外周縁部７に複数の下向き係止爪部８を設けると共に、外向き水平フランジ部４に、下向き係止爪部８の通過を許容し外周縁部７の外向き水平フランジ部４への着座を可能にする複数の切欠部５を設け、外周縁部７が外向き水平フランジ部４に着座した状態から蓋体３が回動されると、下向き係止爪部８と外向き水平フランジ部４とが係合状態となり、蓋体３を容器本体２から離脱不能にする。
【００２６】
第１実施形態に係る鍋１によると、蓋体３の外周縁部７に複数の下向き係止爪部８を設けると共に容器本体２に複数の切欠部５を設けるだけの簡単な構成によって蓋体３の容器本体２からの離脱を防止できるようになる。
【００２７】
また、外向き水平フランジ部４は切欠部５から離れた位置に装着位置決め用ストッパー部６を備え、外周縁部７が外向き水平フランジ部４に着座開始した状態から蓋体３が所定角度回動されたとき、下向き係止爪部８が装着位置決め用ストッパー部６に当接し、蓋体３の更なる回動が規制される。この装着位置決め用ストッパー部６により、使用者は、容器本体２に対する蓋体３の装着位置を容易に認識することができる。
【００２８】
図４及び図５において、第２実施形態に係るやかん（加熱調理容器）１は、水が入る容器本体２と、容器本体２の上端開口部を塞ぐ蓋体３との組合せからなる。
【００２９】
容器本体２は、第１実施形態に係る鍋１と同様、上端開口周縁部に円環状外向き水平フランジ部からなる蓋受け座部４を有し、外向き水平フランジ部４に、複数の切欠部５が設けられ、また、外向き水平フランジ部４の裏面側において切欠部５から離れた位置に、装着位置決め用ストッパー部６が設けられている。さらに、外向き水平フランジ部４の裏面側において、切欠部５を挟んで装着位置決め用ストッパー部６の反対側でかつ切欠部５近傍に、離脱位置決め用ストッパー部９が設けられている。
【００３０】
蓋体３は、第１実施形態に係る鍋１と同様、外向き水平フランジ部４の上面に載る外周縁部７を有し、外周縁部７に、容器本体２の各切欠部５と対向して下向き係止爪部８が設けられ、下向き係止爪部８は、垂直板部８aと内向き突出部８bとを備え、下向き係止爪部８の幅寸法は、切欠部５の幅寸法よりも小さく設定されている。
【００３１】
やかん１の使用方法は第１実施形態に係る鍋１の使用方法と同様であり、容器本体２に蓋体３を装着するに当っては、容器本体２の各切欠部５に対して蓋体３の下向き係止爪部８を位置合せした状態（図４図示の状態、及び、図５（A）図示の状態に対応する。）で容器本体２に向けて蓋体３を降ろし、容器本体２の外向き水平フランジ部４の上面に蓋体３の外周縁部７を載せ（図５（A）図示の状態に対応する。）、次に、蓋体３を図５（A）図示矢印a方向に所定角度だけ回動し、蓋体３の下向き係止爪部８が容器本体２の装着位置決め用ストッパー部６に当接するようになったとき（図５（B）図示の状態に対応する。）、蓋体３の回動操作を止める。以上の操作により、蓋体３を容器本体２に装着することができる。蓋体３が容器本体２に装着されている状態では、蓋体３の外周縁部７と下向き係止爪部８とで形成される凹部に、容器本体２の外向き水平フランジ部４が収容されており、下向き係止爪部８と外向き水平フランジ部４とが係合状態にあるため、蓋体３が容器本体２から外れようとしても、下向き係止爪部８の内向き突出部８bが容器本体２の外向き水平フランジ部４によって移動が規制され、蓋体３は容器本体２から離脱できない。
【００３２】
一方、容器本体２から蓋体３を離脱させるに当っては、蓋体３を図５（A）図示矢印aと反対方向へ回動し、蓋体３の下向き係止爪部８が容器本体２の離脱位置決め用ストッパー部９に当接したとき回動操作を止める。このとき、蓋体３の下向き係止爪部８の位置と容器本体２の切欠部５の位置は略一致しているため、蓋体３を持ち上げることで、下向き係止爪部８が切欠部５を通過し、蓋体３を容器本体２から離脱させることができる。
【００３３】
以上説明したように、第２実施形態に係るやかん１によると、第１実施形態に係る鍋１と同様、蓋体３の外周縁部７に複数の下向き係止爪部８を設けると共に容器本体２に複数の切欠部５を設けるだけの簡単な構成によって蓋体３の容器本体２からの離脱を防止できるようになる。
【００３４】
また、外向き水平フランジ部４は切欠部５から離れた位置に装着位置決め用ストッパー部６を備え、外周縁部７が外向き水平フランジ部４に着座開始した状態から蓋体３が所定角度回動されたとき、下向き係止爪部８が装着位置決め用ストッパー部６に当接し、蓋体３の更なる回動が規制される。この装着位置決め用ストッパー部６により、使用者は、容器本体２に対する蓋体３の装着位置を容易に認識することができる。
【００３５】
さらに、外向き水平フランジ部４の切欠部５の近傍に離脱位置決め用ストッパー部９を設け、下向き係止爪部８と外向き水平フランジ部４との係合状態を解除する方向へ蓋体３を回動したとき、下向き係止爪部８が離脱位置決め用ストッパー部９に当接し、蓋体３の更なる回動が規制される。この離脱位置決め用ストッパー部９により、使用者は、容器本体２から蓋体３を離脱できる位置を容易に認識することができる。
【００３６】
図６〜図８において、第３実施形態に係る鍋（加熱調理容器）１は、煮物などが入る容器本体２と、容器本体２の上端開口部を塞ぐ蓋体３との組合せからなる。
【００３７】
容器本体２は、上端開口周縁部に蓋受け座部４を有する。蓋受け座部４は、円環状外向き水平フランジ部４aと外向き水平フランジ部４aの外周端から延びた上向き垂直フランジ部４bとにより構成される。上向き垂直フランジ部４aの内周面には、複数の内向き係止爪部１０が設けられている。
【００３８】
蓋体３は、容器本体２の外向き水平フランジ部４aの上面に載る外周縁部７を有する。外周縁部７には、容器本体２の各内向き係止爪部１０と対向する位置に切欠部１１が設けられている。切欠部１１の幅寸法は、内向き係止爪部１０の幅寸法よりも大きく設定されている。また、外周縁部７の上面には、肉厚徐変部１２が設けられている。肉厚徐変部１２は、切欠部１１から離れるにしたがって外周縁部７の肉厚を徐々に増大させるよう構成されている。さらに、外周縁部７の上面には、切欠部１１を挟んで肉厚徐変部１２の反対側でかつ切欠部１１近傍に離脱位置決め用ストッパー部１３が設けられている。
【００３９】
次に、上記のように構成される鍋１の使用方法を説明する。
【００４０】
容器本体２に蓋体３を装着するに当っては、容器本体２の各内向き係止爪部１０に対して蓋体３の切欠部１１を位置合せした状態（図６図示の状態、及び、図８（A）図示の状態に対応する。）で容器本体２に向けて蓋体３を降ろす。この下降操作時、蓋体３の切欠部１１の幅寸法が容器本体２の内向き係止爪部１０の幅寸法よりも大きいため、各内向き係止爪部１０は、対応する切欠部１１を通過することができ、容器本体２の外向き水平フランジ部４aの上面に蓋体３の外周縁部７が載るようになる（図７（A）図示の状態、及び、図８（B）図示の状態に対応する。）。次に、蓋体３を図７（A）図示矢印a方向へ回動する。この回動操作時、図８（C）に示すように、容器本体２の外向き水平フランジ部４aと上向き垂直フランジ部４bと内向き係止爪部１０とで形成される凹部に、蓋体３の外周縁部７が収容可能なため、蓋体３を矢印a方向へ回動させることができる。この回動の初期段階においては、図８（C）に示すように、容器本体２の内向き係止爪部１０に対して、蓋体３の肉厚徐変部１２が形成されていない肉厚の薄い外周縁部７が対向し、回動途中では、図８（D）に示すように、容器本体２の内向き係止爪部１０に対して、蓋体３の肉厚徐変部１２が形成された肉厚のやや厚い外周縁部７が対向し、回動の終期段階では、図８（E）に示すように、蓋体３の外周縁部７の肉厚徐変部１２が容器本体２の内向き係止爪部１０に圧接し、それ以上回動できなくなり回動が終了する。この回動終了時、蓋体３の肉厚徐変部１２が容器本体２の内向き係止爪部１０に圧接しているため、蓋体３は容器本体２に強固に装着される。
【００４１】
一方、容器本体２から蓋体３を離脱させる操作は、上述したような容器本体２に蓋体３を装着する操作とは逆の操作を行うことによって、容器本体２から蓋体３を離脱することができる。この離脱操作時、蓋体３を図７図示（A）図示矢印aと反対方向へ回動させると、蓋体３の離脱位置決め用ストッパー部３が容器本体２の内向き係止爪部１０と当接したとき回動操作を止める。このとき、蓋体３の切欠部１１の位置と容器本体２の内向き係止爪部１０の位置は略一致しているため、蓋体３を持ち上げることで、内向き係止爪部１０が切欠部１１を通過し、蓋体３を容器本体２から離脱させることができる。
【００４２】
以上説明したように、第３実施形態に係る鍋１は、上端開口周縁部に、円環状外向き水平フランジ部４aと外向き水平フランジ部４aの外周端から延びた上向き垂直フランジ部４bとにより構成される蓋受け座部４を有する容器本体２と、外向き水平フランジ部４aに載る外周縁部７を有する蓋体３との組合せからなり、上向き垂直フランジ部４bに複数の内向き係止爪部１０を設けると共に、外周縁部７に、内向き係止爪部１０の通過を許容し外周縁部７の外向き水平フランジ部４aへの着座を可能にする複数の切欠部１１を設け、外周縁部７が外向き水平フランジ部４aに着座した状態から蓋体３が回動されると、内向き係止爪部１０と外周縁部７とが係合状態となり、蓋体３を容器本体２から離脱不能にする。
【００４３】
第３実施形態に係る鍋１によると、容器本体２に複数の内向き係止爪部１０を設けると共に蓋体３に複数の切欠部１１を設けるだけの簡単な構成によって蓋体３の容器本体２からの離脱を防止できるようになる。
【００４４】
また、外周縁部７は切欠部１１の近傍に離脱位置決め用ストッパー部１３を備え、内向き係止爪部１０と外周縁部７との係合状態を解除する方向へ蓋体３を回動したとき、離脱位置決め用ストッパー部１３が内向き係止爪部１０に当接し、蓋体３の更なる回動が規制される。この離脱位置決め用ストッパー部１３により、使用者は、容器本体２から蓋体３を離脱できる位置を容易に認識することができる。
【００４５】
また、外周縁部７は肉厚徐変部１２を備え、肉厚徐変部１２は、切欠部１１から離れるにしたがって外周縁部７の肉厚を徐々に増大させるよう構成され、外周縁部７が外向き水平フランジ部４aに着座開始した状態から蓋体３が所定角度回動されたとき、肉厚徐変部１２が内向き係止爪部１０に圧接し、蓋体３の更なる回動が規制される。この肉厚徐変部１２により、使用者は、容器本体２に蓋体３を装着する位置を容易に認識することができると共に、容器本体２に蓋体３を強固に装着することができる。
【００４６】
なお、図示は省略したが、蓋体３の外周縁部７に肉厚徐変部１２の代わりに、第１、第２実施形態と同様な装着位置決め用ストッパー部６を設け、外周縁部７が外向き水平フランジ部４aに着座開始した状態から蓋体３が所定角度回動されたとき、装着位置決め用ストッパー部６が内向き係止爪部１０に当接し、蓋体３の更なる回動を規制するよう構成してもよい。この装着位置決め用ストッパー部６により、使用者は、容器本体２に対する蓋体３の装着位置を容易に認識することができる。
【図面の簡単な説明】
【００４７】
【図１】本考案の第１実施形態に係る鍋の容器本体から蓋体を離脱させた状態を表す斜視図である。
【図２】同鍋の使用態様図である。
【図３】同鍋の動作説明図である。
【図４】本考案の第２実施形態に係るやかんの容器本体から蓋体を離脱させた状態を表す斜視図である。
【図５】同やかんの使用態様図である。
【図６】本考案の第３実施形態に係る鍋の容器本体から蓋体を離脱させた状態を表す斜視図である。
【図７】同鍋の使用態様図である。
【図８】同鍋の動作説明図である。
【符号の説明】
【００４８】
１    鍋、やかん（加熱調理容器）
２    容器本体
３    蓋体
４、４a    円環状外向き水平フランジ部（蓋受け座部）
５、１１    切欠部
６    装着位置決め用ストッパー部
７    外周縁部
８    下向き係止爪部
９、１３    離脱位置決め用ストッパー部
１０    内向き係止爪部
１２    肉厚徐変部
【図１】
0003128424.tif 000003
【図２】
0003128424.tif 000004
【図３】
0003128424.tif 000005
【図４】
0003128424.tif 000006
【図５】
0003128424.tif 000007
【図６】
0003128424.tif 000008
【図７】
0003128424.tif 000009
【図８】
0003128424.tif 000010